(57)【要約】【課題】カバー材の開閉を簡単な機構によって実現することで、カバー材の開閉に必要な設備の簡略化、並びに省スペース化を図ることができ、しかも意匠的にも優れたコンテナを提供する。【解決手段】コンテナ本体１１の後壁２には出入口４が形成されるとともに、出入口４が上蓋板６と下蓋板５とにより閉止可能に設けられ、出入口４とコンパクタの押出口とを接続した状態で、コンパクタ側の移動機構により上蓋板６を上方に移動させるとともに、コンパクタの押出板と下蓋板５とを連結し、押出板の往復動によりコンパクタ内の塵芥が押出口から出入口４を経て圧縮移送されるようになされたコンテナにおいて、上蓋板６には、上下にスライドして下蓋板５との間の隙間Ｐを開閉するカバー材７が設けられている。カバー材７は、コンパクタへのコンテナ１の接続／分離動作に連動して作動するスライド手段８によって隙間Ｐを開閉するように構成されている。【選択図】  図１
2006248773.tif 000002
【特許請求の範囲】
【請求項１】
コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたコンテナにおいて、
前記上蓋板には、上下にスライドして前記下蓋板との間の隙間を開閉するカバー材が設けられたことを特徴とするコンテナ。
【請求項２】
前記カバー材は、コンパクタへのコンテナの接続／分離動作に連動して作動するスライド手段によって前記隙間を開閉するように構成されたことを特徴とする請求項１記載のコンテナ。
【請求項３】
前記スライド手段は、コンパクタへのコンテナの接続／分離動作に連動して作動するリンク機構を備えてなることを特徴とする請求項２記載のコンテナ。
【請求項４】
前記スライド手段には、手動操作による前記カバー材の開閉が可能な手動操作機構が具備されたことを特徴とする請求項２又は３記載のコンテナ。
【請求項５】
前記スライド手段は、上蓋板とカバー材とに設けられた複数の巻回部材を介して当該上蓋板とカバー材とに張設された線状部材を備え、コンパクタへのコンテナの接続／分離動作に連動してカバー材側から上蓋板側への線状部材の引き込み、又は上蓋板側からカバー材側への線状部材の繰出し動作によってカバー材をスライドさせるように構成されたことを特徴とする請求項２記載のコンテナ。
【請求項６】
前記スライド手段は、上蓋板に設けられコンパクタへのコンテナの接続／分離動作に連動して回転するピニオンと、該ピニオンに途中部が噛合されるとともに下端部がカバー材に連結されたラックとを備え、コンパクタへのコンテナの接続／分離動作に連動してピニオンを介してラックを上下方向に移動させることによってカバー材をスライドさせるように構成されたことを特徴とする請求項２記載のコンテナ。
【請求項７】
前記スライド手段は、上蓋板に設けられコンパクタへのコンテナの接続／分離動作に連動して幅方向に移動する左右一対のスライダと、これらスライダとカバー材とに連結された連結部材とを備え、コンパクタへのコンテナの接続／分離動作に連動するスライダの移動によって連結部材を介してカバー材をスライドさせるように構成されたことを特徴とする請求項２記載のコンテナ。
【発明の詳細な説明】
【技術分野】
【０００１】
本発明は、コンパクタにより塵芥などを詰め込んでコンテナ荷役車輌によって移送するためのコンテナに関するものである。
【背景技術】
【０００２】
従来、この種のコンテナとしては、コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥を上記押出口から出入口を経て圧縮移送するように構成したものが提供されている。
【０００３】
そして、このような上下２枚の上蓋板と下蓋板とを備えたタイプのコンテナでは、輸送時等において上蓋板と下蓋板との間に生じる隙間からの外部への塵芥などの漏れを防止するためにこの隙間にカバー材を外方に向けて開閉自在に設けており、コンパクタへのコンテナの接続／分離動作に連動してカバー材を開閉するように構成されていた（例えば、特許文献１参照。）。
【特許文献１】実用新案登録第２５１８１０４号公報
【発明の開示】
【発明が解決しようとする課題】
【０００４】
しかしながら、上記従来のように、コンパクタへの接続／分離動作に伴ってカバー材を外方に向けて開閉するものでは、カバー材を開閉するための機構が大がかりになるとともに、接続／分離に伴ってカバー材を開閉するのに必要なコンテナの移動ストロークを長く確保する必要があり、これらによって設備の大型化を招いていた。
【０００５】
さらに、コンテナにはカバー材やこのカバー材を回動させるためのアームなどが外部にもろに露出した状態で配置されているため、意匠的な面からも改良する余地が十分にあった。
【０００６】
本発明は、上記問題点に鑑みてなされたもので、その目的とするところは、カバー材の開閉を簡単な機構によって実現することで、カバー材の開閉に必要な設備の簡略化、並びに省スペース化を図ることができるとともに、意匠的にも優れたコンテナを提供することにある。
【課題を解決するための手段】
【０００７】
上記の目的を達成するため、請求項１に係る発明のコンテナは、コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたコンテナにおいて、前記上蓋板には、上下にスライドして前記下蓋板との間の隙間を開閉するカバー材が設けられたものである。
【０００８】
請求項２に係る発明のコンテナは、前記カバー材は、コンパクタへのコンテナの接続／分離動作に連動して作動するスライド手段によって前記隙間を開閉するように構成されたものである。
【０００９】
請求項３に係る発明のコンテナは、前記スライド手段が、コンパクタへのコンテナの接続／分離動作に連動して作動するリンク機構を備えてなるものである。
【００１０】
請求項４に係る発明のコンテナは、前記スライド手段には、手動操作による前記カバー材の開閉が可能な手動操作機構が具備されたものである。
【００１１】
請求項５に係る発明のコンテナは、前記スライド手段は、上蓋板とカバー材とに設けられた複数の巻回部材を介して当該上蓋板とカバー材とに張設された線状部材を備え、コンパクタへのコンテナの接続／分離動作に連動してカバー材側から上蓋板側への線状部材の引き込み、又は上蓋板側からカバー材側への線状部材の繰出し動作によってカバー材をスライドさせるように構成されたものである。
【００１２】
請求項６に係る発明のコンテナは、前記スライド手段は、上蓋板に設けられコンパクタへのコンテナの接続／分離動作に連動して回転するピニオンと、該ピニオンに途中部が噛合されるとともに下端部がカバー材に連結されたラックとを備え、コンパクタへのコンテナの接続／分離動作に連動してピニオンを介してラックを上下方向に移動させることによってカバー材をスライドさせるように構成されたものである。
【００１３】
請求項７に係る発明のコンテナは、前記スライド手段は、上蓋板に設けられコンパクタへのコンテナの接続／分離動作に連動して幅方向に移動する左右一対のスライダと、これらスライダとカバー材とに連結された連結部材とを備え、コンパクタへのコンテナの接続／分離動作に連動するスライダの移動によって連結部材を介してカバー材をスライドさせるように構成されたものである。
【発明の効果】
【００１４】
本発明によれば、カバー材を上下にスライドさせるだけの簡単な構成によって隙間を開閉させることができるので、設備側などでは開閉に必要なための機構が簡単になり、これにより省スペース化を図ることができる。また、カバー材をサブプレートにほぼ内蔵する形で設けることができるため外観が良く意匠性を高めることができる。
【発明を実施するための最良の形態】
【００１５】
以下、本発明の実施の形態について図面を参照して説明する。
【００１６】
図１及び図２は、コンテナの全体構成を示している。
【００１７】
コンテナ１は、上面や周側面が閉塞された所謂クローズドタイプのもので、後述する車輌に積み込んだ状態においてコンテナ本体１１の後側となる後端開口にはテールゲート２が設けられている。
【００１８】
テールゲート２は、コンテナ１の後端上部位置に設けた左右一対の支軸３に揺動自在に支持されている。上記テールゲート２の略中央には出入口４が形成され、該出入口４には下蓋板としてのプッシュプレート５が下方に配置されるとともに、該プッシュプレート５の上方に上蓋板としてのサブプレート６が配置され、これらプレート５、６によって上記出入口４を閉止するようになっている。
【００１９】
このコンテナ１は、図２に示す従来周知のコンパクタＣにその後部が着脱自在になされている。コンパクタＣの内部には油圧シリンダで往復操作される押出板Ｃ１を備えている。そして、コンテナ１とコンパクタＣとの連結時において、上部に設けられたホッパＣ２から投入された塵芥を、押出板Ｃ１でコンパクタＣ前端の押出口Ｃ３に向って押し出し、この押出口Ｃ３に連通する前記出入口４を介してコンテナ１の内部へ圧縮移送するようにしている。
【００２０】
詳しくは、コンパクタＣの下面中央には図示しない連結シリンダに連結されたフックＣ４が設けられ、このフックＣ４でコンテナ１を捕捉して引き寄せ、あるいは塵芥の詰め込みが終ったコンテナ１を押し出し操作するようにしている。
【００２１】
この場合、コンテナ１は底部前後左右に設けられた車輪１２を介して移動するようになっており、連結シリンダのフックＣ４によるコンテナ１の引き寄せ操作、又は押し出し操作がスムーズに行えるようにしている。
【００２２】
そして、上記コンテナ１のテールゲート２がコンパクタＣの前端に接続されると、上記プッシュプレート５がコンパクタＣの押出板Ｃ１に係合されて出入口４とコンパクタＣの押出口Ｃ３とが連通（接続）する。これにより押出板Ｃ１の往復動作に供ってプッシュプレート５がコンパクタＣ内とコンテナ１内との間で往復動し、当該プッシュプレート５によってコンパクタＣのホッパＣ２から投入された塵芥を押出口Ｃ３、出入口４を通じてコンテナ１の内部へ圧縮移送するようにしている。つまり、塵芥の圧縮移送は実質的にプッシュプレート５が行なうように構成されている。
【００２３】
また、上記テールゲート２には、出入口４にプッシュプレート５が閉止された状態で該プッシュプレート５を固縛する左右一対の閂部材５１（図１参照）が設けられている。該閂部材５１は、コンパクタＣの左右両側部に設けられた一対の伸縮シリンダ（図示せず）によりプッシュプレート５から抜差し自在になされている。具体的には、コンテナ１をコンパクタＣに接続したときに、伸縮シリンダの伸長により閂部材５１を抜き取って出入口４でのプッシュプレート５の固縛状態を解除する一方、伸縮シリンダの収縮により閂部材５１を外方から差し込んでプッシュプレート５を固縛するようになっている。
【００２４】
一方、前記サブプレート６は、上記プッシュプレート５を出入口４に配置した場合にこの出入口４の上部に生じる隙間Ｐを埋めるためのもので、前記プッシュプレート５と同様に出入口４の上部にサブプレート６が閉止された状態で該サブプレート６を固縛する左右一対の閂部材６１（図１参照）が設けられている。閂部材６１は、コンパクタＣの左右両側部に設けられた一対の伸縮シリンダ（図示せず）によりサブプレート６から抜差し自在になされている。具体的には、コンテナ１をコンパクタＣに接続したときに、伸縮シリンダの伸長により閂部材６１を抜き取って出入口４でのサブプレート６の固縛状態を解除する一方、伸縮シリンダの収縮により閂部材６１を外方から差し込んでサブプレート６を固縛するようになっている。
【００２５】
そして、このサブプレート６は、上述したようにプッシュプレート５により塵芥を詰め込む際には、図２に示すようにコンパクタＣ側に設けられた移動機構Ｃ５とこの移動機構Ｃ５のフックＣ５１によって一体に接続され、移動機構Ｃ５により上方に移動させるようになっている。これによりプッシュプレート５の上部にはサブプレート６が上方に移動した分だけの空間部が生じ、この空間部によって塵芥の噛み込みなどを防止しながらプッシュプレート５によりコンテナ１内へ塵芥が円滑に詰め込まれるようにしている。
【００２６】
また、テールゲート２には、プッシュプレート５及びサブプレート６が出入口４に閉止された状態で、これらプッシュプレート５とサブプレート６との間に生じる隙間Ｐを開閉するカバー材７が上下にスライド自在に設けられている。
【００２７】
カバー材７は、上記隙間Ｐの横幅に相当する横幅を有し、図４に示すように縦断面が略Ｌ字状に形成されたプレート本体７１を備えてなるもので、プレート本体７１がサブプレート６の内面側下端部にスライドレール７２（図１参照）に案内されながら上下にスライド自在に設けられている。
【００２８】
このプレート本体７１の下端には、例えばゴム製の当接部材７３が同じく幅方向に亘って連設されており、この当接部材７３がプッシュプレート５の上端部に上方から当接することで隙間Ｐを閉塞するようにしている。
【００２９】
上記スライドレール７２は、プレート本体７１の両側部寄り表面側に上下方向に設けられており、サブプレート６に設けられたガイド７５［例えば図５（Ｃ）参照］内に摺動自在に挿入配置されている。
【００３０】
そして、このようにして上下にスライド自在に設けられたカバー材７は、スライド手段８によってコンパクタＣへの接続動作と分離動作に連動して開閉されるように構成されている。
【００３１】
スライド手段８は、図３及び図４に示すように、上下２本のリンクアーム８１、８２と、これら上下リンクアーム８１、８２とプレート本体７１とに連結されたリンクロッド８３からなるリンク機構を備えている。
【００３２】
具体的には、上リンクアーム８１は、左右一対が左右サブプレート６に取付部材６ａを介して水平軸支された軸８１ａに一体的に設けられている。
【００３３】
下リンクアーム８２は、左右一対が軸８１ａの下方において上記取付部材６ａを介して水平軸支された軸８２ａに一体的に設けられている。
【００３４】
リンクロッド８３は、上端部が上記上リンクアーム８１の先端にブラケット８３ａを介して枢支されるともに、途中部が上記下リンクアーム８２の先端部に上リンクアーム８１の回動に追従できるように枢支（例えば長孔によるピン連結）されており、且つ下端部が前記プレート本体７１の下端部にブラケット８３ｂを介して枢支されている。
【００３５】
これらリンクアーム８１、８２及びリンクロッド８３は、サブプレート６の表面側略中央に配置されている。
【００３６】
さらに、このスライド手段８には、コンテナ１のコンパクタＣへの接続／分離動作に伴ってカバー材７を自動的に開閉操作する自動操作杆９１と、手動によってカバー材７を開閉操作する手動操作杆（手動操作機構）９２とが備えられている。
【００３７】
自動操作杆９１は、前記軸８１ａの両端に作動アーム９１ａの基端部がそれぞれ一体に連結され、これら作動アーム９１ａの先端部に各操作杆９１ｂが側方へ水平に突設されている。
【００３８】
上記操作杆９１ｂは、コンテナ１をコンパクタＣに接続する際に、図２に示すようにコンパクタＣ側となる前記移動機構Ｃ５に設けられた押圧部材Ｃ５２が前方から当接してコンテナ１側に押圧されるようになっている。
【００３９】
これによりコンテナ１をコンパクタＣに接続する際には、押圧部材Ｃ５２が操作杆９１ｂをコンテナ１側に押圧し、作動アーム９１ａを介して上リンクアーム８１を軸８１ａを中心にして図４において反時計回りの方向に回動させてリンクロッド８３を上方に移動させることで、カバー材７を上方に移動させるようにしている。また、コンパクタＣへの連結を解除してコンテナ１を当該コンパクタＣから分離させることによって、カバー材７などの自重によって上述とは逆の動作でカバー材７を下方に移動させることで隙間Ｐを閉塞するようにしている。
【００４０】
一方、手動操作杆９２は、前記軸８２ａの両端に作動アーム９２ａの基端部がそれぞれ一体に連結され、これら作動アーム９２ａの先端部に各操作杆９２ｂが連結アーム９２ｃを介して側方へ水平に突設されている。
【００４１】
連結アーム９２ｃの上端部には長孔９２ｄ（図４参照）が形成されており、この長孔９２ｄを通じて上記作動アーム９２ａの先端部に設けたピン９２ｅによって両者が連結され、この連結アーム９２ｃの下端部に上記操作杆９２ｂが連結されている。
【００４２】
また、左右の連結アーム９２ｃの途中部には、連結部材９４が連結されるともに、固縛杆９５が連結されており、手動操作を行わない場合には、図示しない固縛手段によって固縛杆９５を固縛保持することで手動操作杆９２全体を図４に示す状態で保持するようにしている。
【００４３】
そして、上記手動操作杆９２によって手動操作を行う場合には、まず固縛杆９５の固縛を解除してフリーな状態にした後に、作業者によって操作杆９２ｂを把持して当該操作杆９２ｂを下方に引っ張り、これによって作動アーム９２ａを介して下リンクアーム８２を軸８２ａを中心にして図４において反時計回りの方向に回動させてリンクロッド９３を上方に移動させることで、カバー材７を上方に移動させて開放させるようにしている。この場合、固縛杆９５をサブプレート６に設けた保持部材９６に保持させることで、手動操作杆９２全体の上方側への移動を阻止してカバー材７を開放させた状態で保持するようにしている。逆に、固縛杆９５を保持部材９６から分離することで、カバー材７などの自重によって上述とは逆の動作でカバー材７を下方に移動させることで隙間Ｐを閉塞するようにしている。
【００４４】
なお、これ以外に図示はしないが、テールゲート２を閉じた状態で固縛保持する固縛機構や、コンパクタＣに接続されたコンテナ１を移動不能に固定保持する固定機構なども設けられている。
【００４５】
そして、このように構成されたコンテナ１は、テールゲート２と反対側の前壁上部に係合ピン（図示省略）が設けられており、この係合ピンに図示しないコンテナ荷役車輌の荷役装置のフックを係止させて当該荷役装置によって車輌の車体上に積込むことができるとともに、その逆に車体上から前述したようなコンパクタＣを備えた施設や地上等に降ろすことができる。
【００４６】
また、荷役装置により車体上でコンテナ１を後方に傾動（ダンプ）させることでこのコンテナ１内の積載物（塵芥）をテールゲート２の開放によって外部に排出することができる。
【００４７】
次に、このように構成されたコンテナ１をコンパクタＣに接続／分離する場合の動作についてカバー材７の開閉動作を中心にして詳説する。
【００４８】
まず、コンテナ１をコンパクタＣに接続／分離する場合においてカバー材７を自動操作により自動開閉する場合について図５乃至図９を参照して説明する。なお、図５乃至図９において各（ａ）は図１におけるＡ−Ａ断面図であり、（ｂ）は図１におけるＢ−Ｂ断面図であり、（ｃ）は図１におけるＣ−Ｃ断面図である。
【００４９】
設備においてコンパクタＣの前方に車輌からコンテナ１を降ろすと、前述したように連結シリンダのフックＣ４によってコンテナ１をコンパクタＣに引き寄せる。これにより、コンテナ１の自動操作杆９１にはコンパクタＣ側の移動機構Ｃ５の押圧部材Ｃ５２が漸次近接する（図５参照）。
【００５０】
続いて、コンテナ１がコンパクタＣにさらに近接すると、まず、押圧部材Ｃ５２が自動操作杆９１の操作杆９１ｂに当接し、これにより上記押圧部材Ｃ５２が上記操作杆９１ｂを押圧し、この結果、作動アーム９１ａを介して上リンクアーム８１を軸８１ａを中心にして反時計回りの方向に回動させてリンクロッド８３が上方に移動することで、カバー材７が徐々に上方に移動する（図６乃至図８参照）。
【００５１】
この場合、操作杆９１ｂは、押圧部材Ｃ５２の先端部に形成された傾斜面Ｃ５３を摺動しながら上方に移動する。
【００５２】
そして、図９に示すように、操作杆９１ｂが押圧部材Ｃ５２の傾斜面Ｃ５３から上面に達する位置まで移動することで、上リンクアーム８１も同様に上方に回動してリンクロッド８３を介してカバー材７をサブフレーム６に対して上方一杯まで移動させる。なお、上述したように上リンクアーム８１が上方に回動する際において下リンクアーム８２はこれに追従して上方に回動することになる。つまり、自動操作においてはリンクロッド８３を介したカバー材７の上方への移動に上リンクアーム８１が主に寄与する。また、このような状態で下リンクアーム８２が回動したとしても、下リンクアーム８２には作動アーム９２ａが長孔９２ｄを通じてピン連結されているので、この長孔の作用によって手動操作杆９２側には悪影響を及ぼすことはない。
【００５３】
このようにカバー材７を上方一杯まで移動させた状態で、サブフレーム６が移動機構Ｃ５に連結されてコンテナ１がコンパクタＣに接続される。
【００５４】
また、コンテナ１がコンパクタＣから分離して離脱する場合には、コンテナ１がコンパクタＣから漸次離れると、カバー材７等の自重の作用で押圧部材Ｃ５２が操作杆９１ｂから離間する方向に移動することで、カバー材７等の自重の作用で前述とは逆の動作により上リンクアーム８１が時計回りの方向に回動してリンクロッド８３が下方に移動し、これによってカバー材７がサブプレート６に対して徐々に下方に移動する。そして、コンテナ１がコンパクタＣから完全に分離してテールゲート２の出入口４の上下にプッシュプレート５とサブプレート６とが配設された状態では、これらプッシュプレート５とサブプレート６との間の隙間Ｐを閉塞する。つまり、カバー材７下端の当接部材７３がプッシュプレート５の上端に当接する位置まで当該カバー材７が下方に移動して隙間Ｐを閉塞する。
【００５５】
これによりコンテナ１は隙間Ｐをカバー材７で閉塞した状態で輸送され、この隙間Ｐからの塵芥などの外部への漏れを防止することができる。
【００５６】
次に、コンテナ１をコンパクタＣに接続／分離する場合においてカバー材７を手動操作により開閉する場合について図１０乃至図１４を参照して説明する。なお、図１０乃至図１４において各（ａ）は図１におけるＡ−Ａ断面図であり、（ｂ）は図１におけるＢ−Ｂ断面図であり、（ｃ）は図１におけるＣ−Ｃ断面図である。
【００５７】
設備においてコンパクタＣの前方に車輌からコンテナ１を降ろすと、まず、図１０に示す前記隙間Ｐを閉塞した状態から、手動操作杆９２の固縛杆９５を固縛手段から離脱させてその固縛を解除する（図１１参照）。
【００５８】
この状態で、作業者が操作杆９２ｂを把持して連結アーム９２ｃを下方に引き込むように当該操作杆９２ｂを下方に引っ張ることで、作動アーム９２ａを介して下リンクアーム８２を軸８２ａを中心にして反時計回りの方向に回動させる。これによりリンクロッド８３が上方に移動してカバー材７が上方に徐々に移動する（図１２参照）。
【００５９】
そして、操作杆９２ｂをさらに下方に引き込んで、図１３に示すようにカバー材７を上方一杯まで移動させ、この状態で固縛杆９５を保持部材９６に保持させることで、手動操作杆９２全体の上方側への移動を阻止してカバー材７をこの状態で保持する（図１４参照）。
【００６０】
なお、上述したように下リンクアーム８２が上方に回動する際において上リンクアーム８１はこれに追従して上方に回動することになる。つまり、手動操作においてはリンクロッド８３を介したカバー材７の上方への移動に下リンクアーム８２が主に寄与する。
【００６１】
この後、コンテナ１をコンパクタＣに接続してコンテナ１への塵芥の詰め込みを行う。
【００６２】
また、コンテナ１への塵芥の詰め込みが終了して当該コンテナ１をコンパクタＣから離脱させると、続いて、作業者が保持部材９６による固縛杆９５の保持を解除操作することで、カバー材７等の自重による作用で前述とは逆の動作により下リンクアーム８２が時計回りの方向に回動してリンクロッド８３が下方に移動する。これによってカバー材７がサブプレート６に対して下方に移動してプッシュプレート５の上端に当接することで隙間Ｐを閉塞する。
【００６３】
これによりコンテナ１は隙間Ｐをカバー材７で閉塞した状態で輸送され、この隙間Ｐからの塵芥などの外部への漏れを防止することができる。
【００６４】
なお、カバー材７を下方に付勢するために例えばサブプレート６とリンク機構との間などにスプリング等の付勢部材を設け、この付勢部材の付勢力も加えてカバー材７を下方に移動させることで、カバー材７の閉塞動作をより確実に行うことができる。
【００６５】
このようにカバー材７をスライド手段８を介して上下にスライドさせるだけの簡単な構成によって隙間Ｐを開閉させることができるので、設備側などでは開閉に必要なための機構が簡単になり、これにより省スペース化を図ることができる。また、カバー材７をサブプレート６にほぼ内蔵する形で設けているため外観が良く意匠性を高めることができる。
【００６６】
また、コンパクタＣへのコンテナ１の接続／分離動作に伴う自動操作によってカバー材７の開閉が可能であり作業性が良い他、作業者による操作が必要になるものの手動操作も可能であるため、既存のコンパクタＣへの接続が可能であり利便性が高い。
【００６７】
図１５は、請求項５に記載のスライド手段の構成を示している。なお、前述したコンテナ１と同様な部材には同符号を付して説明は省略する。
【００６８】
スライド手段１０は、サブプレート６とカバー材７とに設けられた複数の巻回部材１１０を介して当該サブプレート６とカバー材７とに張設された線状部材１２０を備え、コンパクタＣへのコンテナ１の接続／分離動作に連動してカバー材７側からサブプレート６側への線状部材１２０の引き込み、又はサブプレート６側からカバー材７側への線状部材１２０の繰出し動作によってカバー材７をスライドさせるように構成されている。
【００６９】
具体的には、各巻回部材１１０としてはプリーやスプロケットが用いられ、一方、線状部材１２０としては、巻回部材１１０がプリーの場合にはワイヤが、巻回部材１１０がスプロケットの場合にはチェーンが用いられる。
【００７０】
線状部材１２０は、その一端がサブプレート６の略中央の下端寄りに止着され、途中部が複数の巻回部材１１０によって以下のように張設された後に他端がサブプレート６の一端部（図１５において左側部）の下端寄りに止着されている。
【００７１】
巻回部材１１０は、サブプレート６に５個、カバー材７に２個の合計７個がそれぞれ回転自在に設けられている。具体的には、サブプレート６には、その略中央にリンク機構１３０を介して第１巻回部材１１１が、その左右両側、且つ上記第１巻回部材１１１よりも若干高い位置に第４、第７巻回部材１１４、１１７が、第１巻回部材１１１と第４巻回部材１１４との間の左右、且つこれら第１、第４巻回部材１１１、１１４よりも低い位置に第２、第３巻回部材１１２、１１３がそれぞれ設けられている。
【００７２】
カバー材７には、上記第４、第７巻回部材１１４、１１７の下方となる両側部に第５、第６巻回部材１１５、１１６が設けられている。
【００７３】
そして、線状部材１２０は、上記一端側から上方に導かれて第１巻回部材１１１に巻回されて下方に折り返され、第２巻回部材１１２で側方に導かれた後に第３巻回部材１１３で上方に導かれ、次に第４巻回部材１１４に巻回されて下方に折り返され、第５巻回部材１１５で反対側に導かれた後に第６巻回部材１１６で上方に導かれ、第７巻回部材１１７で下方に折り返されて他端がサブプレート６に止着されている。
【００７４】
前記リンク機構１３０は、図１６及び図１７に示すように、上下２本のリンクアーム１３１、１３２と、これら上下リンクアーム１３１、１３２の先端部間に連結された連結リンク１３３とを備えている。
【００７５】
具体的には、上リンクアーム１３１は、左右一対が左右サブプレート６に取付部材６ａを介して水平軸支された軸１３１ａに一体的に設けられている。
【００７６】
下リンクアーム１３２は、左右一対が軸１３１ａの下方において上記取付部材６ａを介して水平軸支された軸１３２ａに一体的に設けられている。
【００７７】
連結リンク１３３は、上端部が上記各上リンクアーム１３１の先端部にピン１３３ａによって枢支されるとともに、下端部が上記各下リンクアーム１３２の先端部にピン１３３ｂによって枢支されて左右２本が平行に設けられている。
【００７８】
これらリンクアーム１３１、１３２及び連結リンク１３３は、サブプレート６の表面側略中央に配置されており、連結リンク１３３には取付プレート１３４（図１６参照）を介して前記第１巻回部材１１１が設けられている。具体的には、左右の連結リンク１３３間に取付プレート１３４が架設され、この取付プレート１３４に第１巻回部材１１１が回転自在に支持されている。
【００７９】
そして、このようにして構成されたリンク機構１３０には、コンパクタＣへのコンテナ１の接続／分離動作に伴ってカバー材７を自動的に開閉操作するための作動手段１３５が設けられている。
【００８０】
作動手段１３５は、前記軸１３１ａの両端に作動アーム１３６の基端部がそれぞれ一体に連結され、これら作動アーム１３６の先端部に各操作杆１３７が側方へ水平に突設されている。
【００８１】
上記操作杆１３７は、前述したのと同様にコンテナ１をコンパクタＣに接続する際に、コンパクタＣ側となる移動機構Ｃ５に設けられた押圧部材Ｃ５２が前方から当接してコンテナ１側に押圧されるようになっている（図２参照）。
【００８２】
また、リンク機構１３０には、カバー材７の閉塞動作を円滑に行うための付勢部材が設けられている。具体的には、前記軸１３２ａの両端に一体的に連結されて前記下リンクアーム１３２と同じ方向に延設された取付アーム１３９の先端とサブプレート６とにスプリング１３８（付勢部材）が連結されている。
【００８３】
なお、図１５に示す符号７５ａはガイド７５に設けた摺動パッドであり、この摺動パッド７５ａによってカバー材７のスライドレール７２をガイド７５に対して円滑に摺動させるようにしている。
【００８４】
従って、コンテナ１をコンパクタＣに接続する際には、押圧部材Ｃ５２が操作杆１３７をコンテナ１側に押圧し、作動アーム１３６を介して上リンクアーム１３１を軸１３１ａを中心にして図１７において反時計回りの方向に回動させて連結リンク１３３を上方に移動させることで、取付プレート１３４を介して第１巻回部材１１１を上方に移動させる。この第１巻回部材１１１の上方への移動により、線状部材１２０がカバー材７側から第１巻回部材１１１側に引き寄せられ、これに伴ってカバー材７をスプリング１３８の付勢力に抗して上方に移動させて当該カバー材７を開放させるようにしている。
【００８５】
また、コンパクタＣへの連結を解除してコンテナ１を当該コンパクタＣから分離させることによって、カバー材７などの自重とスプリング１３８の付勢力によって上述とは逆に第１巻回部材１１１を下方に移動する。そして、この第１巻回部材１１１の下方への移動に伴って線状部材１２０が当該第１巻回部材１１１側からカバー材７側に繰り出され、これによりカバー材７が下方に移動して隙間Ｐを閉塞する。
【００８６】
このようにカバー材７をスライド手段１０を介して上下にスライドさせるだけの簡単な構成によって隙間Ｐを開閉させることができるので、設備側などでは開閉に必要なための機構が簡単になり、これにより省スペース化を図ることができる。また、カバー材７をサブプレート６にほぼ内蔵する形で設けているため外観が良く意匠性を高めることができる。
【００８７】
図１８は、請求項６記載のスライド手段の構成を示している。なお、前述したコンテナ１と同様な部材には同符号を付して説明は省略する。
【００８８】
スライド手段２０は、サブプレート６に設けられコンパクタＣへのコンテナ１の接続／分離動作に連動して回転するピニオン２１０と、該ピニオン２１０に途中部が噛合されるとともに下端部がカバー材７に連結されたラック２２０とを備え、コンパクタＣへのコンテナ１の接続／分離動作に連動してピニオン２１０を介してラック２２０を上下方向に移動させることによってカバー材７をスライドさせるように構成されている。
【００８９】
具体的には、ピニオン２１０は、コンパクタＣへのコンテナ１の接続／分離動作に伴って伝達機構２３０を通じて回転するように構成されている。
【００９０】
伝達機構２３０は、図１９に示すように、ギア群２４０と、コンテナ１の接続／分離動作に伴ってギア群２４０を回転作動させてカバー材７を自動的に開閉操作するための作動手段２５０とを備えている。
【００９１】
ギア群２４０は、図１９及び図２０に示すように、大小４つのギア２４１、２４２、２４３、２４４からなり、隣接するギア同士が噛合している。そして一番上のギア２４１がサブプレート６に取付部材６ａを介して水平軸支された軸２４５の中間部に一体的に設けられるとともに、一番下のギア２４４が上記ピニオン２１０に噛合されている。
【００９２】
また、ギア２４３は、小径部２４３ａと大径部２４３ｂとが一体に形成されており、小径部２４３ａにギア２４２が、大径部２４３ｂにギア２４４が噛合されている。
【００９３】
なお、各ギア２４１〜２４４及びピニオン２１０はそのピッチ円直径が例えば次のものが用いられている。ギア２４１がΦ５０、ギア２４２がΦ１５、ギア２４３の小径部２４３ａがΦ１５、ギア２４３の大径部２４３ｂがΦ３２、ギア２４４がΦ１５、ピニオン２１０がΦ６０であり、これにより約２倍近い増速を図ることができる。なお、これはあくまでも一例であり、カバー材７の開閉に必要なストローク等に応じて適宜に設定すればよい。
【００９４】
作動手段２５０は、上記軸２４５の両端に作動アーム２５１の基端部がそれぞれ一体に連結され、これら作動アーム２５１の先端部に各操作杆２５２が側方へ水平に突設されている。
【００９５】
上記操作杆２５２は、前述したのと同様にコンテナ１をコンパクタＣに接続する際に、コンパクタＣ側となる移動機構Ｃ５に設けられた押圧部材Ｃ５２が前方から当接してコンテナ１側に押圧されるようになっている（図２参照）。
【００９６】
また、ラック２２０は、前記ピニオン２１０の回転によってサブプレート６の表面に沿って上下方向に移動するようにその下端部がカバー材７に固設されている。
【００９７】
従って、コンテナ１をコンパクタＣに接続する際には、押圧部材Ｃ５２が操作杆２５２をコンテナ１側に押圧し、作動アーム２５１を介して軸２４５を図２０において反時計回りの方向に回転させることで、ギア群２４０を通じてピニオン２１０を同じく図２０において反時計回りの方向に回転させる。この結果、ラック２２０が上方に移動してこのラック２２０の移動によってカバー材７を上方に移動させて当該カバー材７を開放させるようにしている。
【００９８】
また、コンパクタＣへの連結を解除してコンテナ１を当該コンパクタＣから分離させることによって、カバー材７などの自重によって上述とは逆にピニオン２１０を図２０において時計回りの方向に回転させてラック２２０を下方に移動させることで、カバー材７を下方に移動させて隙間Ｐを閉塞するようにしている。
【００９９】
なお、カバー材７を下方に付勢するために例えばサブプレート６とラック２２０との間などにスプリング等の付勢部材を設け、この付勢部材の付勢力も加えてカバー材７を下方に移動させることで、カバー材７の閉塞動作をより確実に行うことができる。
【０１００】
このようにカバー材７をスライド手段２０を介して上下にスライドさせるだけの簡単な構成によって隙間Ｐを開閉させることができるので、設備側などでは開閉に必要なための機構が簡単になり、これにより省スペース化を図ることができる。また、カバー材７をサブプレート６にほぼ内蔵する形で設けているため外観が良く意匠性を高めることができる。
【０１０１】
図２１は、請求項７に記載のスライド手段の構成を示している。なお、前述したコンテナ１と同様な部材には同符号を付して説明は省略する。
【０１０２】
スライド手段３０は、サブプレート６に設けられコンパクタＣへのコンテナ１の接続／分離動作に連動して幅方向に移動する左右一対のスライダ３１０と、該スライダ３１０とカバー材７とに連結された連結部材３２０とを備え、コンパクタＣへのコンテナ１の接続／分離動作に連動するスライダ３１０の移動によって連結部材３２０を介してカバー材７をスライドさせるように構成されている。
【０１０３】
具体的には、スライダ３１０は、サブプレート６のやや上部左右に一対設けられており、幅方向に沿って上下に平行に配設された一対のスライドレール３１１と、このスライドレール３１１にスライド自在に配設されたスライダ本体３１２とを備えている。
【０１０４】
左右のスライダ本体３１２は、同調リンク３１３によって相反する方向に同調してスライドするようになされている。同調リンク３１３は、サブプレート６の幅方向中心部に回動自在に支持された回動リンク３１３ａと、回動リンク３１３ａの各両端と各スライダ本体３１２とに連結された連結リンク３１３ｂとで構成されている。
【０１０５】
そして、このように同調して幅方向にスライドする左右のスライダ本体３１２は、ロッドなどの連結部材３２０を介してカバー材７に連結されている。具体的には、連結部材３２０の先端部同士がカバー材７の幅方向中心部に枢支されるとともに、各連結部材３２０の基端部がスライダ本体３１２の左右対象位置に枢支されている。
【０１０６】
また、スライダ本体３１２には、コンパクタＣへのコンテナ１の接続／分離動作に伴って当該スライダ本体３１２をスライドさせてカバー材７を自動的に開閉操作させるための作動手段３３０を備えている。
【０１０７】
作動手段３３０は、図２１及び図２２に示すように、スライダ本体３１２にブラケット３３１を介して前方に突出した状態で上下に軸支されたローラ３３２で構成されている。
【０１０８】
そして、このローラ３３２は、コンテナ１をコンパクタＣに接続する際に、コンパクタＣ側となる移動機構Ｃ５（図２参照）に設けられた図２１に二点鎖線で示す作動部材Ｃ５３によってコンテナ１の側方に押されるようになっている。つまり、作動部材Ｃ５３の先端部外側面が傾斜面（図示省略）になっており、当該作動部材Ｃ５３の先端部がコンテナ１側に近接してローラ３３２に当接すると傾斜面の作用で当該ローラ３３２を外側に押し、これによってスライダ３１０を側方にスライドさせるようにしている。
【０１０９】
従って、コンテナ１をコンパクタＣに接続する際には、作動部材Ｃ５３がローラ３３２をコンテナ１の側方に押圧し、これによって各スライダ３１０が同調しながら相反して側方にスライドすることで、連結部材３２０を介してカバー材７を開放させるようにしている。
【０１１０】
また、コンパクタＣへの連結を解除してコンテナ１を当該コンパクタＣから分離させることによって、カバー材７などの自重によって上述とは逆に各スライダ３１０が内側に移動することで、カバー材７を下方に移動させて隙間Ｐを閉塞するようにしている。
【０１１１】
なお、カバー材７を下方に付勢するために例えばサブプレート６とスライダ３１０との間などにスプリング等の付勢部材を設け、この付勢部材の付勢力も加えてカバー材７を下方に移動させることで、カバー材７の閉塞動作をより確実に行うことができる。
【０１１２】
このようにカバー材７をスライド手段３０を介して上下にスライドさせるだけの簡単な構成によって隙間Ｐを開閉させることができるので、設備側などでは開閉に必要なための機構が簡単になり、これにより省スペース化を図ることができる。また、カバー材７をサブプレート６にほぼ内蔵する形で設けているため外観が良く意匠性を高めることができる。
【図面の簡単な説明】
【０１１３】
【図１】コンテナを示す正面図である。
【図２】コンパクタの前方に配置した状態のコンテナの後部を示す側面図である。
【図３】スライド手段の構成を示す正面図である。
【図４】スライド手段の構成を示す側面図である。
【図５】コンテナをコンパクタに接続する際に、自動操作によりカバー材を上方に移動させて開放させる動作を説明するための図である。
【図６】コンテナをコンパクタに接続する際に、自動操作によりカバー材を上方に移動させて開放させる動作を説明するための図である。
【図７】コンテナをコンパクタに接続する際に、自動操作によりカバー材を上方に移動させて開放させる動作を説明するための図である。
【図８】コンテナをコンパクタに接続する際に、自動操作によりカバー材を上方に移動させて開放させる動作を説明するための図である。
【図９】コンテナをコンパクタに接続する際に、自動操作によりカバー材を上方に移動させて開放させる動作を説明するための図である。
【図１０】コンテナをコンパクタに接続する際に、手動操作によりカバー材を上方に移動させて開放させる動作を説明するための図である。
【図１１】コンテナをコンパクタに接続する際に、手動操作によりカバー材を上方に移動させて開放させる動作を説明するための図である。
【図１２】コンテナをコンパクタに接続する際に、手動操作によりカバー材を上方に移動させて開放させる動作を説明するための図である。
【図１３】コンテナをコンパクタに接続する際に、手動操作によりカバー材を上方に移動させて開放させる動作を説明するための図である。
【図１４】コンテナをコンパクタに接続する際に、手動操作によりカバー材を上方に移動させて開放させる動作を説明するための図である。
【図１５】スライド手段の他の構成を示す正面図である。
【図１６】同じくスライダ手段のリンク機構の構成を示す拡大の正面図である。
【図１７】同じくスライダ手段のリンク機構の構成を示す縦断面図である。
【図１８】スライド手段のさらに他の構成を動作とともに示す正面図であり、左側半分がカバー材が閉じた状態を示し、右側半分がカバー材が開いた状態を示す。
【図１９】同じくスライダ手段の伝達機構の構成を示す拡大の正面図である。
【図２０】同じくスライダ手段における伝達機構のギア群の構成を示す概略図である。
【図２１】スライド手段のさらに他の構成を動作とともに示す正面図である。
【図２２】同じくスライド手段の構成を示す縦断面図である。
【符号の説明】
【０１１４】
１  コンテナ
１１  コンテナ本体
２  テールゲート（後壁）
４  出入口
５  プッシュプレート（下蓋板）
６  サブプレート（上蓋板）
７  カバー材
８  スライド手段
８１  上リンクアーム
８２  下リンクアーム
８３  リンクロッド
９１  自動操作杆
９２  手動操作杆（手動操作機構）
１０  スライド手段
１１０  巻回部材
１２０  線状部材
２０  スライド手段
２１０  ピニオン
２２０  ラック
３０  スライド手段
３１０  スライダ
３２０  連結部材
Ｃ  コンパクタ
Ｃ１  押出板
Ｃ３  押出口
Ｃ５  移動機構
Ｐ  隙間
【図１】
2006248773.tif 000003
【図２】
2006248773.tif 000004
【図３】
2006248773.tif 000005
【図４】
2006248773.tif 000006
【図５】
2006248773.tif 000007
【図６】
2006248773.tif 000008
【図７】
2006248773.tif 000009
【図８】
2006248773.tif 000010
【図９】
2006248773.tif 000011
【図１０】
2006248773.tif 000012
【図１１】
2006248773.tif 000013
【図１２】
2006248773.tif 000014
【図１３】
2006248773.tif 000015
【図１４】
2006248773.tif 000016
【図１５】
2006248773.tif 000017
【図１６】
2006248773.tif 000018
【図１７】
2006248773.tif 000019
【図１８】
2006248773.tif 000020
【図１９】
2006248773.tif 000021
【図２０】
2006248773.tif 000022
【図２１】
2006248773.tif 000023
【図２２】
2006248773.tif 000024
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたコンテナにおいて、
前記上蓋板には、該上蓋板に対して上下にスライドして前記下蓋板との間の隙間を開閉するカバー材が設けられたことを特徴とするコンテナ。
【請求項２】
前記カバー材は、コンパクタへのコンテナの接続／分離動作に連動して作動するスライド手段によって前記隙間を開閉するように構成されたことを特徴とする請求項１記載のコンテナ。
【請求項３】
前記スライド手段は、コンパクタへのコンテナの接続／分離動作に連動して作動するリンク機構を備えてなることを特徴とする請求項２記載のコンテナ。
【請求項４】
前記スライド手段には、手動操作による前記カバー材の開閉が可能な手動操作機構が具備されたことを特徴とする請求項２又は３記載のコンテナ。
【請求項５】
前記スライド手段は、上蓋板とカバー材とに設けられた複数の巻回部材を介して当該上蓋板とカバー材とに張設された線状部材を備え、コンパクタへのコンテナの接続／分離動作に連動してカバー材側から上蓋板側への線状部材の引き込み、又は上蓋板側からカバー材側への線状部材の繰出し動作によってカバー材をスライドさせるように構成されたことを特徴とする請求項２記載のコンテナ。
【請求項６】
前記スライド手段は、上蓋板に設けられコンパクタへのコンテナの接続／分離動作に連動して回転するピニオンと、該ピニオンに途中部が噛合されるとともに下端部がカバー材に連結されたラックとを備え、コンパクタへのコンテナの接続／分離動作に連動してピニオンを介してラックを上下方向に移動させることによってカバー材をスライドさせるように構成されたことを特徴とする請求項２記載のコンテナ。
【請求項７】
前記スライド手段は、上蓋板に設けられコンパクタへのコンテナの接続／分離動作に連動して幅方向に移動する左右一対のスライダと、これらスライダとカバー材とに連結された連結部材とを備え、コンパクタへのコンテナの接続／分離動作に連動するスライダの移動によって連結部材を介してカバー材をスライドさせるように構成されたことを特徴とする請求項２記載のコンテナ。
【請求項８】
コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたコンテナにおいて、
前記上蓋板には、該上蓋板に対して上下にスライドして前記下蓋板との間の隙間を開閉するカバー材が設けられ、手動操作により前記カバー材の開閉が可能な手動操作機構が具備されたことを特徴とするコンテナ。
【手続補正２】
【補正対象書類名】明細書
【補正対象項目名】００１３
【補正方法】変更
【補正の内容】
【００１３】
請求項７に係る発明のコンテナは、前記スライド手段は、上蓋板に設けられコンパクタへのコンテナの接続／分離動作に連動して幅方向に移動する左右一対のスライダと、これらスライダとカバー材とに連結された連結部材とを備え、コンパクタへのコンテナの接続／分離動作に連動するスライダの移動によって連結部材を介してカバー材をスライドさせるように構成されたものである。
請求項８に係る発明のコンテナは、上蓋板には、該上蓋板に対して上下にスライドして前記下蓋板との間の隙間を開閉するカバー材が設けられ、手動操作により前記カバー材の開閉が可能な手動操作機構が具備されたことにある。